【事件の表示】
　特願２００４−２０８７２５「釣り竿」拒絶査定不服審判事件〔平成１８年　２月　２日出願公開、特開２００６−　２５６８４〕について、次のとおり審決する。
【結　論】
　本件審判の請求は、成り立たない。
【理　由】
１　手続の経緯
　本願は，平成１６年７月１５日の出願であって，平成２１年１１月２日付けで拒絶査定がなされ，これに対し，平成２２年２月３日に拒絶査定に対する審判請求がなされたものである。
　その後，当審において，平成２３年２月１日付けで拒絶理由を通知したところ，平成２３年３月２５日に意見書及び手続補正書が提出された。
　
２　本願発明
　本願の請求項１ないし４に係る発明は，平成２３年３月２５日付け手続補正により補正された特許請求の範囲の請求項１ないし４に記載された事項により特定されるとおりのものと認められ，そのうち請求項１に係る発明は，次のとおりである。
「リールシートのリール脚取付部とは反対側からリールシート部位を握る釣り竿において、前記リールシートにおけるリール脚取付部に、リールを保持する竿先側フ−ドと竿尻側フ−ドとを取付け、前記竿尻側フ−ドに前記リールシートの取り付け台座における両横側面に形成されたガイド溝に挿入される両脚部を形成して、前記竿尻側フ−ドを竿軸方向に沿ってスライド移動自在に構成し、前記リール脚取付部とは竿軸芯を挟んで反対側の面に軟質弾性体を装着し、前記リールシートを握った手の掌が前記軟質弾性体に作用すべく構成し、前記軟質弾性体に手の掌を当てるとともに親指と人指し指との基端部を前記軟質弾性体の円弧状突出部に当接させて前記リールシート部位を握った状態で、前記軟質弾性体より竿尻側に肘部分が当接する竿尻部を形成し、前記竿尻部の竿軸芯から半径方向外方への突出量を、前記軟質弾性体の前記円弧状突出部の竿軸芯から半径方向外方への突出量より大きくし、
　前記軟質弾性体が前記反対側の面における円周方向の一部の範囲に亘る状態で装着され、前記竿尻部が前記円弧状突出部の突出量より大きな突出量を呈するように全周に亘って塗布後にも軟質性を維持する塗料を施して、その軟質性を備えている故に肘を当てた場合に滑り難くかつ手で握った場合に柔らかい感触を得られる弾性竿尻部に形成されている釣り竿。」（以下、請求項１に係る発明を「本願発明」という。）
　
３　当審の拒絶理由で引用した刊行物及びその記載内容
　刊行物１：特開２００２−１６５５３７号公報
　刊行物２：特開２００１−１９７８５０号公報
　
　当審の拒絶理由で引用し，本願出願前に頒布された上記刊行物１には，図面とともに，次のことが記載されている（下線は当審付与）。
（１ａ）「【０００１】【発明の属する技術分野】本発明は、釣竿に設けられてリールの脚部を固定するためのリール脚固定装置に関する。」，
（１ｂ）「【００１１】図１〜図４は本発明の第１の実施形態を示している。図１に示されるように、本実施形態に係るリール脚固定装置１は、例えば繊維強化樹脂によって形成された釣竿の竿管８の手元部（竿尻側端部）に位置して設けられている。この
リール脚固定装置１は、内部に竿管８が貫通して装着される合成樹脂等からなる筒状のシート本体１２（図４も参照）と、シート本体１２に対して移動可能な移動フード１６とを備えている。
シート本体１２は、竿管８と別体に形成されて、竿管８に接着剤等によって固定されている。
【００１３】図３に示されるように、
シート本体１２には、移動フード１６と反対側の部位に、シート本体１２の径方向に緩やかに膨出する膨出部１２ａが設けられている。また、この膨出部１２ａの表面には、図２に示されるように、滑り止め部４３が形成されている。この滑り止め部４３は、例えば、滑り止め機能を奏するようにシート本体１２の膨出部１２ａの表面に塗装を施したり、あるいは、ゴム、合成樹脂、コルク、発泡材といった滑り止め機能を奏する部材をシート本体１２の膨出部１２ａの表面に設けることによって形成されている。
【００１４】
シート本体１２の先端部には、
固定フード１８が形成されている。
…
【００１６】
移動フード１６は、金属または剛性の高い合成樹脂などで形成されたフード本体２６を有している。フード本体２６の両側には、シート本体１２のガイド溝１４に噛合うガイド片が形成されている。
…
【００１９】また、フード本体２６に回動自在に取付けられた緊締レバー３２の手元側端部は押圧片として形成されており、この押圧片は、緊締レバー３２が起立された時にリール脚載置面２２と略平行に配置され、緊締レバー３２が図２に示されるようにフード本体２６に重なる状態に倒された時にリール脚載置面２２と略直交する状態に配置される。したがって、緊締レバー３２がフード本体２６から起されると、押圧片による係止爪３４への押圧状態が解除されるため、係止爪３４と係止受体２４との噛合いが解除され、移動フード１６はリール脚載置面２２の長手方向に沿って自由に動くことができる。一方、緊締レバー３２がフード本体２６上に重なる状態に倒されると、押圧片は、係止爪３４の前記爪部をリール脚載置面２２に向けて押圧して係止受体２４の対応する１つの横溝に噛合わせる。これにより、移動フード１６がリール脚載置面２２に対して固定される。」。
　
　これらの記載によれば，刊行物１には次の発明が記載されていると認められる。
「竿管８に，筒状のシート本体１２と、シート本体１２に対して移動可能な移動フード１６とを備えた，リール脚固定装置１を固定した釣竿において，
　前記シート本体１２の先端部に，リールの取付脚部を保持する固定フード１８を形成し，前記固定フード１８は、リール取付脚部が挿入される空間と、この空間内にリール取付脚部を導入するための開口２０とを有し，シート本体１２の開口２０の手元側に，平坦なリール脚載置面２２が長手方向に沿って形成され，このリール脚載置面２２の手元側の両側縁部に、移動フード１６が摺動自在に係合する一対のガイド溝１４が設けられ，
　前記移動フード１６は両側に，前記一対のガイド溝１４に挿入されるガイド片を形成して，シート本体１２上を長手方向に沿って自由に動くように構成したものであり，
　シート本体１２における，前記移動フード１６とは反対側の部位に，径方向に緩やかに膨出する膨出部１２ａを設け，この膨出部１２ａの表面に，塗装を施したり，あるいは，ゴム等の滑り止め機能を奏する部材を設けることによって滑り止め部４３を形成した，釣竿。」（以下，「刊行物１記載の発明」という。）
　
　当審の拒絶理由で引用し，本願出願前に頒布された上記刊行物２には，図面とともに，次のことが記載されている（下線は当審付与）。
（２ａ）「【０００１】【発明の属する技術分野】本発明は、魚釣りに用いる釣竿に関する。」，
（２ｂ）「【００１０】【発明の実施の形態】［第１実施形態］以下、本発明の第１実施形態について、図面を参照しつつ説明する。本発明の第１実施形態を採用した釣竿は、図１に示すように、複数の筒状部材が順次連結されて構成された竿体１と、竿体１上に一定の間隔を隔てつつ配置された複数の釣糸ガイド２と、竿体１の竿元側に配置されリール３を脱着自在に装着可能なリールシート４と、リールシート４の竿元側の竿体１の周面上に配置された肘当て５とを有している。そして、リール３からの釣糸は順次釣糸ガイド２を挿通して穂先側に至ることになる。
…
【００１２】
リールシート４は
変形筒状部材である
、軸方向に移動時材な移動フードとを有している。
リールシート４は、固定フードと移動フードとでリール３の脚部を挟み込みながらリール３を竿体１に脱着自在に固定している
【００１３】図２及び図３に示すように、肘当て５は、竿体１の竿元側端部付近に配置され、竿体１の周方向に並列して長手方向に延びる対称な一対の部材５ａ，５ｂからなる。例えば、スチール，アルミニウム等の金属材やABS樹脂等の合成樹脂から形成される。この一対の肘当て５ａ，５ｂは竿体１周面上のリールシート４と１８０度変位する側に配置されている。そして、この一対の肘当て５ａ，５ｂはそれぞれ長手方向中央乃至竿元側付近が最も竿体１より離れるように竿体１周面より径外方向に膨らみ、かつ長手方向両端部が竿体１に連結された肘当て５ａ，５ｂと竿体１の間には空間が形成される橋状の部材である。一対の肘当て５ａ，５ｂの長手方向両端部は竿体１に接着剤で接着されたり，ネジ止め等によって固定される。また、図２に示すように、一対の肘当て５ａ、５ｂは長手方向中央付近でそれぞれ両者の間隔が最も離れるように左右にやや広がって形成されている。」，
（２ｃ）「【００１４】このように構成された釣竿では、
図４に示すように、釣人はリールシート４付近を一方の手で把持し、さらにその手の肘を肘当て５に当てながら釣竿を操作する。
【００１５】すると、
釣人はリールシート４付近を把持しつつ肘を竿体１から浮かせた比較的自然な状態で釣竿の操作が可能になり、手首を不自然に竿体１方向に傾ける必要なく釣竿操作を行えるので、長時間の釣竿操作も辛くない
手首と肘との２カ所で釣竿の竿体１を十分に支えることが可能なので釣竿操作の安定性も向上する。
（２ｄ）「【００１６】［第２実施形態］以下、本発明の第２実施形態について、図面を参照しつつ説明する。本発明の第２実施形態を採用した釣竿は、第１実施形態と同様に、複数の筒状部材が順次連結されて構成された竿体１と、竿体１の竿元側周面上に配置された肘当て１５とを有している。
【００１７】
図５及び図６に示すように、肘当て１５は、竿体１の竿元側端部付近に配置され、竿体１の長手方向に丘陵状に延びる部材である。
肘当て１５は長手方向中央付近が最も竿体１より離れるように（高さが高くなるように）竿体１周面より径外方向に膨んでいる。
（２ｅ）「【００１８】このように構成された釣竿では、第１実施形態と同様に、釣人はリールシート４付近を一方の手で把持し、さらにその手の肘を肘当て１５に当てながら釣竿を操作する。これにより、釣人はリールシート４付近を把持しつつ肘を竿体１から浮かせた比較的自然な状態で釣竿の操作が可能になり、手首を不自然に竿体１方向に傾ける必要なく釣竿操作を行えるので、長時間の釣竿操作も辛くない。」，
（２ｆ）「【００１９】［他の実施形態］（ａ）
肘当てをウレタンゴムやブタジエンゴム等の弾性部材から形成
他の様々な形状を採用できる。例えば、円筒型，
　
　刊行物２の（２ｂ）記載の［第１実施形態］を前提とした［第２実施形態］［他の実施形態］によれば，刊行物２には，次の発明が記載されていると認められる。
「リールシート４のリール脚取付部とは反対側からリールシート４部位を握る釣竿１において，
　前記リールシート４におけるリール脚取付部に，リール３を保持する固定フードと移動フードとを取付け，前記リールシート４を把持した状態で，肘を当てる肘当て１５を竿尻部の半径方向外方へ突出させて形成し，
　この肘当てをウレタンゴムやブタジエンゴム等の弾性部材から形成した円筒型のものとした釣竿１。」（以下，「刊行物２記載の発明」という。）
　
４　対比
　本願発明と刊行物１記載の発明とを対比する。
　ア　刊行物１記載の発明の「シート本体１２」，「固定フード１８」，「移動フード１６」，「ガイド片」，「釣竿」は，それぞれ，本願発明の「リールシート」，「竿先側フード」，「竿尻側フード」，「脚部」，「釣り竿」に相当する。
　イ　刊行物１記載の発明において，「固定フード１８」，「リール脚載置面２２」，「ガイド溝１４」及び「移動フード１６」は，全体としてリールの取付脚部を取り付けるためのものであるから，本願発明の「リール脚取付部」に相当し，「リール脚載置面２２」は，本願発明の「取り付け台座」に相当する。
　また，刊行物１記載の発明において，移動フード１６が「長手方向に沿って自由に動く」ことは，本願発明の竿尻側フードが「竿軸方向に沿ってスライド移動自在」であることに相当する。
　ウ　本願発明における「リールシートに竿先側フードを取付け」ることに関して，発明の詳細な説明には「固定フード（竿先側フード）６がリールシート本体と一体に形成されており」（段落【００１９】）と記載され，竿先側フードがリールシート本体と一体のものを「取付け」としているから，刊行物１記載の発明において，「シート本体１２に固定フード１８を形成」することは，本願発明において，「リールシートに竿先側フードを取付け」ることに相当する。
　エ　刊行物１記載の発明において，「ゴム，コルク等からなる滑り止め部４３」は，本願発明の「軟質弾性体」に相当し，「滑り止め部４３」は，リールシートを握った手に作用するためのものであることは明らかである。
　また，「滑り止め部４３」が設けられている「膨出部１２ａ」は，「移動フード１６とは反対側の部位」すなわち，「リール脚取付部とは竿軸芯を挟んで反対側の面における円周方向の一部の範囲」に形成されているから，「滑り止め部４３」は，「リール脚取付部とは竿軸芯を挟んで反対側の面における円周方向の一部の範囲に亘って装着されている」といえる。
　オ　刊行物１記載の発明において，表面に滑り止め部４３が形成されている「膨出部１２ａ」は，「移動フード１６」の反対側からシート本体１２を握ったときに手の掌に作用するためのものであることは技術常識であり，刊行物１記載の発明の「膨出部１２ａ」と，本願発明の「親指と人指し指との基端部を前記軟質弾性体の円弧状突出部」とは，「リールシートを握った手を当接させる円弧状突出部」として共通する。
　
　したがって，両者は，次の点で一致する。
「リールシート部位を握る釣り竿において、前記リールシートにおけるリール脚取付部に、リールを保持する竿先側フードと竿尻側フードとを取付け、前記竿尻側フードに前記リールシートの取り付け台座における両横側面に形成されたガイド溝に挿入される両脚部を形成して、前記竿尻側フードを竿軸方向に沿ってスライド移動自在に構成し、前記リール脚取付部とは竿軸芯を挟んで反対側の面に軟質弾性体を装着し、前記リールシートを握った手の掌が前記軟質弾性体に作用すべく構成し、リールシートを握った手を当接させる円弧状突出部を形成し、
　前記軟質弾性体が前記反対側の面における円周方向の一部の範囲に亘る状態で装着されている釣り竿。」
　
　また，両者は，次の各点で相違する。
［相違点１］
　円弧状突出部が，本願発明では，「軟質弾性体」に設けられたものであり，親指と人指し指との基端部を円弧状突出部に当接させるのに対し，刊行物１記載の発明では，リールシートを突出（膨出）させ，表面に軟質弾性体を設けたものであり，指の位置と円弧状突出部の関係は不明な点。
［相違点２］
　本願発明は，「親指と人指し指との基端部を前記軟質弾性体の円弧状突出部に当接させてリールシート部位を握った状態で，前記軟質弾性体より竿尻側に肘部分が当接する竿尻部」を有し，この竿尻部は，「竿軸芯から半径方向外方への突出量を，軟質弾性体の円弧状突出部の竿軸芯から半径方向外方への突出量より大きくし」，かつ，「前記竿尻部が前記円弧状突出部の突出量より大きな突出量を呈するように全周に亘って塗布後にも軟質性を維持する塗料を施して、肘を当てた場合に滑り難くかつ手で握った場合に柔らかい感触を得られる弾性竿尻部」に形成されているのに対し，刊行物１記載の発明は，このような竿尻部を形成していない点。
　
５　判断
　上記相違点１について検討すると，リールシートを突出（膨出）させ，表面に軟質弾性体を設けることに代えて，突出部のないリールシートに突出部を有する軟質弾性体を設けることは，当業者が適宜なしうることである。
　また，刊行物１記載の発明においては，刊行物２の図７に記載されているように，リールシートのリール脚取付部とは反対側からリールシート部位を握った場合に，親指と人指し指との基端部が軟質弾性体に当接するものと認められ，そもそも突出部は，リールシート部位を確実に把持するためのものであるから，握ったときに親指と人指し指との基端部が当接して，釣り竿を安定させることができるような位置に適宜の大きさで円弧状突出部を形成することは，当業者が適宜なしうることである。
　
　上記相違点２について検討すると，刊行物２記載の発明には，リールシート４を把持した状態で，肘を当てる肘当て１５を竿尻部の半径方向外方へ突出させること，すなわち，リールシート部位を握った状態で，リールシートより竿尻側に肘部分が当接する肘当てを設けた竿尻部を形成し，前記竿尻部の竿軸芯から半径方向外方への突出量を，前記リールシートの竿軸芯から半径方向外方への突出量より大きくすることが示されている。
　さらに，刊行物２記載の発明には，この肘当て１５を弾性部材とすること，円筒状，すなわち竿の全周に亘って設けることも示されている，
　そして，刊行物１記載の発明においては，リールシートのリール脚取付部とは反対側からリールシート部位を握って操作するとともに，状況によっては竿尻部を持って操作することが十分考えられるから，リールシート部位を握った状態で肘を支持したり，手で握りやすくするために，釣竿の竿尻部に，刊行物２記載の発明を適用して，リールシートより竿尻側に肘部分が当接する突出部を竿尻部を形成し，竿尻部の竿軸芯から半径方向外方への突出量を，円弧状突出部の竿軸芯から半径方向外方への突出量より大きくすること，そのために，全周に亘って肘を当てた場合に滑り難くかつ手で握った場合に柔らかい感触を得られる弾性部材を装着することは，当業者が容易になしうることである。
　また，竿尻部に弾性部材を装着する手段として，塗布後にも軟質性を維持する塗料を塗布することは，当審における拒絶理由で引用した特開２００４−１４７５８１号公報に記載されているように周知の技術であり，竿尻部に全周に亘って塗布後にも軟質性を維持する塗料を施して弾性竿尻部とすることも，当業者が適宜なしうることである。
　
　また，本願発明の作用効果は，刊行物１及び２記載の発明及び周知技術から，当業者が予測できる程度のことである。
　よって，本願発明は，刊行物１及び刊行物２記載の発明及び周知技術に基いて当業者が容易に発明をすることができたものである。
　
６　むすび
　以上のとおり，本願発明は，刊行物１及び刊行物２記載の発明及び周知技術に基づいて当業者が容易に発明をすることができたものであり特許法第２９条第２項の規定により特許を受けることができないものであるから，本願の他の請求項に係る発明について検討するまでもなく，本願は拒絶すべきものである。
　よって、結論のとおり審決する。